(57)【特許請求の範囲】
【請求項１】
電気かみそり又は電気かみそりと共働する装置であって、
第１出力モードで現在の操作モードを表示するための、電気によって駆動できる出力装置と、
複数の異なる情報項目を得て、保存し、保存された前記情報項目を第２出力モードで出力する、マイクロコントローラと、
を備え、
前記複数の異なる情報項目は：
ｉ）電気かみそり及び前記電気かみそりと共働する装置の使用履歴；
ｉｉ）電気かみそり及び前記電気かみそりと共働する装置の現在の操作状況；
ｉｉｉ）電気かみそり及び前記電気かみそりと共働する装置に組み込まれた構成要素の識別（identity）；
ｉｖ）電気かみそり及び前記電気かみそりと共働する装置内の構成要素の使用履歴；
ｖ）電気かみそり及び前記電気かみそりと共働する装置に組み込まれた構成要素の現在の操作状況；
から成るグループから選択され、
前記第２出力モードは：
ｉ）前記マイクロコントローラの１つまたは数個のＰＩＮに所定の電圧を印加すること；
ｉｉ）前記電気かみそりに所定の時間関連シーケンスで異なる電圧を印加すること；
ｉｉｉ）前記電気かみそりを所定の時間関連シーケンスで特定の操作モードにスイッチングすること；
のうち、少なくとも一つによって作り出されることを特徴とする、電気かみそり。
【請求項２】
所定のオン・オフシーケンスで前記電気かみそりを駆動することにより、前記特定の操作モードが設定されることを特徴とする請求項１に記載の電気かみそり。
【請求項３】
前記第２出力モードでは、個々の情報項目が、前記第２出力モードの設定モードに基づく出力の為に選択されることを特徴とする、請求項１に記載の電気かみそり。
【請求項４】
所定のオン・オフシーケンスで前記電気かみそりの制御要素を駆動することによって、設定モードが設定されることを特徴とする、請求項３に記載の電気かみそり。
【請求項５】
前記情報項目が視覚及び／もしくは聴覚手段によって出力されることを特徴とする、請求項１に記載の電気かみそり。
【請求項６】
前記マイクロプロセッサは、前記情報のタイプ及び情報自体の両方をパルス幅変調によって符号化する信号で前記出力装置を動かすことを特徴とする、請求項１に記載の電気かみそり。
【請求項７】
前記出力装置は、幾つかのセグメントに分けることができ、前記マイクロプロセッサは、個々のセグメントを駆動することによって情報のタイプ及び／もしくは情報自体を表示することを特徴とする、請求項１に記載の電気かみそり。
【請求項８】
少なくとも１つの前記セグメントを駆動することによって、前記電気かみそりが前記第２出力モードにあることが表示されることを特徴とする、請求項７に記載の電気かみそり。
【請求項９】
前記請求項１に記載の電気かみそりの出力装置に接続可能な装置であって、
前記出力装置からの情報項目を検出する検出装置と、
前記情報を受け取る為に前記検出装置に接続可能であり、データが入力される処理装置であって、前記情報を更に処理し表示する、前記処理装置と、
を備える、装置。
【請求項１０】
電気かみそりと共働する装置であって、
第１出力モードで現在の操作モードを表示するための、電気によって駆動できる出力装置と、
前記装置の使用履歴、前記装置の現在の操作状況、前記装置に組み込まれた構成要素の使用履歴、前記装置に組み込まれた構成要素の識別、前記装置に組み込まれた構成要素の使用履歴、から成るグループから選択される情報のうち、異なる複数の項目を得るようにプログラムされたマイクロコントローラと、
を備え、
前記マイクロコントローラは、前記装置内の情報のうち異なる複数の項目を保存し、第２出力モードで前記出力装置を通じて前記情報のうち異なる複数の項目を選択的かつ別個に出力するように更にプログラムされている、前記装置。
【発明の詳細な説明】
技術分野
本発明は請求項１の先行技術部分に記載の電気かみそりまたはそれと共働する装置、及び請求項１３に記載の配置に関する。
背景技術
例えば、かみそりを掃除する必要性が時間で制御される情報の視覚的出力によって表示される電気かみそりが業界で公知である。この視覚情報の出力は、更に蓄電池の充電レベルを表示するためにも、またシェービングヘッド及び／もしくはシェービングホイルを交換する必要性等の付加的な情報を提供するためにも使用することができる。
未発行のドイツ特許出願ＤＥ  １９６０６７１９から、髭剃り装置用のクリーニング装置は公知である。このようなクリーニング装置はかみそりと共働する装置の例である。以下の説明ではかみそりについてのみ説明する。しかしながら、これはかみそりと共働する対応する装置も含むことを理解すべきである。
かみそりと共働する装置が適正に機能するために、また顧客サービス目的のためにも、かみそりの使用履歴に関する情報が役立つ。この情報はかみそりのユーザに関係がないので、通常は表示されない。しかしながら、必要な時にこのような情報を使用することができるように、本発明の請求項１に記載のように、出力装置の大きさを増大する必要なしに、この情報を出力できるかみそりが提供される。したがって、情報の表示できる項目全てを並べて示すことができるくらい充分な大きさの出力装置を提供する必要がないので、かみそりのデザインにおける利点がある。これは特にユーザ自身が問題の情報を実際上全然必要とせず、かみそり製造業者の顧客サービス部だけがその情報を必要とする場合にあてはまる。顧客サービスの職員がしかるべく訓練された社員であることを考慮すると、かみそりから情報を出力することに関係する努力は、かみそりのユーザから通常期待されるであろう努力より大きいかもしれない。
請求項２に記載のかみそりでは、マイクロコンピュータのピン（ＰＩＮ）を介して入力される信号によって明確に限定される方法で、マイクロコンピュータを駆動することができることが利点であることが解る。これはマイクロコンピュータへのアクセスを持つためにかみそりを開くことを必要とするかもしれないが、かみそりがユーザによって不注意に異なる出力モードに切り換えられ、ユーザが結果として生じる表示を理解することができず、装置が欠陥品であると結論付けることになるのを防止する。
請求項３に記載のかみそりでは、かみそりのケースを開く必要なしに、異なる出力モードを活性化（activated）させることができることが利点であると解る。通常、現代的なかみそりは様々な供給電圧で作動するように設計されている。この目的のために、かみそりには計器用変圧器、通常はフライバックコンバータが備えられ、それは一次側で多種の電圧を受け入れるように適合される。従来は、かみそりは１２Ｖまたは２４Ｖの直流電源または１１０Ｖまたは２２０Ｖの交流電源で操作される。出願番号ＤＥ  ３８  ０３  ９０６  Ａ１が割り当てられた出願において、例えば、かみそりに印加される供給電圧の検出を可能にする方法が記載されている。例えば、請求項３に記載のかみそりでは、１２Ｖの直流電源を、例えば数秒間の初期期間の間かみそりに印加することができる。次いで数秒間続くことができる第２期間の間に、かみそりに２２０Ｖの交流電源を印加することができる。かみそりに印加すべき電圧をユーザが手で設定しなければならない場合、短かめよりむしろ長めの期間を選択し、広い公差を指定することが適当である。しかし、その出力において適当な大きさの電圧を発生させる電源装置を提供することもできる。この電源装置は電源出力における電圧が時間関連シーケンスで変化するように構成することができ、様々な電圧が請求項３に記載の特定の時間関連シーケンスで発生される。したがって、電源装置が異なる出力モードを活性化するために適合される。
請求項４に記載のかみそりは、かみそりを開くことなく、異なる出力モードを活性化できることが好都合である。活性化は付加的な助けなしに特に簡単な方法で行うことができる。
請求項５に記載のかみそりの態様では、所定のシーケンスでかみそりのオン／オフスイッチを作動させることによって、及び／もしくは所定のシーケンスでかみそりの長髪トリマをオン／オフに切り換えることによって、特定の操作モードを設定することができる。
出力モードの活性化も、例えば、上述の活性化方法の１つを任意に行うことによって達成することができ、出力モードを様々な方法で活性化することができる。更に、前述の活性化方法の幾つかを組み合わせて実施する時にのみ、出力モードが活性化されるように、かみそりを構成することもできる。
請求項６に記載のかみそりの利点は、比較的多数の情報項目を表示する能力であり、かみそりのユーザが表示できる情報項目のうちどれを表示するかを選択することができるようにする。制限された大きさの出力装置で、それにも関わらず、ユーザが認識でき、選択できる方法で、必要な情報項目を表示できることを示している。
請求項７に記載のかみそりでは、例えば、所定のシーケンスで、例えば、オン／オフスイッチ及び／もしくはかみそりの長髪トリマを動かすためのスイッチを動かすことによって、設定モードを選択することができる。
異なる出力モードにより、マイクロコントローラの対応するピン（ＰＩＮ）に対する電気リード線を接続することによって、マイクロコントローラに保存された情報項目をマイクロコントローラから直接読み出すことができるようになり、情報は例えば、別のコンピューターを使用して、この電気リード線を介して読み出される。そしてこの情報は、このコンピューターによって処理することができ、また適用できる場合、表示することができる。マイクロコントローラが備えられたかみそりは従来、表示、１つか数個のＬＥＤ、及び／もしくは聴覚信号出力装置等の出力装置を持っている。この出力装置は通常の操作中に、少なくともかみそりの操作モードの１つ、例えば、かみそりに組み込まれている蓄電池の充電レベルを表示するために使用される。
請求項８によれば、情報項目を出力するために、異なる出力モードにおいてこの出力装置を好都合に使用することができる。
請求項９によれば、情報を視覚及び／もしくは聴覚手段によって出力することができる。
請求項１０に記載のかみそりでは、コンピューターポートに順次接続することができる検出器によって読み取られる出力装置によって送られる信号にとって利点であることが解る。検出器がＰＣポートに接続される場合、比較的簡単な構成となる。このポートはＰＣの直列ポートであると共に並列ポートであることもできる。検出器は可聴信号の分解と共に、視覚信号の分解のために構成することができる。視覚信号の分解としては、ディスプレイもしくは少なくとも１つのＬＥＤのいずれかをかみそりからのコード化された信号で駆動するにこともできる。コード化は例えばＲＣ５コードで送信することができる。ＬＥＤの駆動は、ＬＥＤの高速応答のために、ディスプレイを駆動するより好都合な要素を持っている。しかしながら、聴覚出力装置を動かすこともできる。そしてパルス幅変調された信号の適当な定義によって情報を送信することができる。
請求項１１に記載のかみそりでは、情報が好ましくはディスプレイを介して出力される。かみそりの蓄電池の充電レベルを表示するために、例えば、蓄電池が完全に涸渇してしまうまでかみそりが動くために残された時間を示すものとして、かみそりの通常の操作の間にディジット（digit）を表示するためのゾーンが設けられる。更に、ディスプレイが通常の操作で駆動される時、蓄電池のパーセンテージ容量を、例えば、２０％の増分で表示できるようにする幾つかのゾーンセグメントを持つことができる。ディジットは、例えば、出力すべき情報のタイプを表示するために、所定の数によって、異なる出力モードで使用され得る。この情報が、一度に表示できるディジット数を超えるような多数桁数によって表示されなければならない場合、特定のセグメントを駆動することによって、例えば、現在表示されているディジットが存在する数字内の位置において示すことが可能である。１つのディジットが連続モードで示され、別のディジットが点滅モードで示されるような、ディジットの交互駆動によって、例えば、２桁の数字を表示することができるが、但し、連続モードで示されるディジットが数字の最初のディジットであり、点滅するディジットが数字の２番目のディジットであることが明記される。
個々のセグメントを選択できる表示可能性によって、請求項１２にしたがって、特定のセグメントを駆動することで、かみそりが異なる出力モードにあることが表示されるという装置を好都合に作製することができる。
請求項１３に記載の配置では、請求項１０に記載の信号出力が、好都合なことに、例えば、更なる処理のために受信され得る。
【図面の簡単な説明】
本発明の態様を添付図面において詳細に説明する。図面において、
図１は本発明によるかみそりの第１の実施形態でありる。
図２は本発明によるかみそりの別の実施形態である。
発明を実施するための最良の形態
図１はマイクロコントローラ１０２を含むかみそり１０１を示す。この実施形態の説明はかみそりに関して行うが、かみそり１０１と共働する装置、例えばクリーニング装置もそれに応じて構成できることが自明となるであろう。このマイクロコントローラによって、かみそり１０１に組み込まれる蓄電池の容量を監視し、表示する等の機能を実施することが可能である。この蓄電池の残留容量をディスプレイ１０３上に示すことができる。このディスプレイは残留容量のパーセンテージ表示に対応するセグメント１０４に分けられる。また、ディスプレイ１０３は蓄電池が空になる前に何分操作できるかが１桁形式で表示されるセグメント１０５を持つ。この操作用に残された時間の表示は、あと９分残された時点で開始される。更に、例えば蓄電池の残留容量が所定の下限しきい値に達するか、それ以下に低下した時に、それを表示する発光ダイオード１０６が設けられてもよい。更に、かみそり１０１には、オン／オフスイッチ１０７と、長髪トリマ用のスイッチ１０８が備えられ、その駆動が同様にマイクロコントローラ１０２によって検出される。かみそり１０１は本線接合部１０９を介して本線電圧に接続され得る。この本線電圧は１１０Ｖまたは２２０Ｖの交流電圧であってもよいし、例えば、１２Ｖまたは２４Ｖの直流電圧であってもよい。かみそり１０１が本線に接続されると、かみそり１０１を本線から操作することができ、及び／もしくはかみそり１０１の蓄電池を充電することができる。
かみそりの通常の操作中に、ディスプレイ１０３及び／もしくは発光ダイオード１０６を使用して、蓄電池の充電レベルに関する情報を出力する。別の情報項目も、異なる出力モードでマイクロコントローラ１０２によって出力することができる。これらの情報項目は、例えば、蓄電池がその耐用年数の間に何度過度に放電したか、充電サイクルを何度実施したか、何度蓄電池が全容量まで充電されたか、かみそりを何分間使用したか、及びマイクロコントローラのソフトウエア及び／もしくはかみそりの他の成分の連続番号に関する情報を含むことができる。これらの情報項目が異なる出力モードでのみ出力されるので、その情報を出力するためにディスプレイ１０３及び／もしくは発光ダイオード１０６を好都合に使用することができる。かみそりを使用している間、これらの情報項目は連続表示に対して低い関心度のものである。他方、消費者サービス職員にとって、例えば、この情報へのアクセスを持つことが利点である。ディスプレイ１０３自体の機能を調べるために、例えば、異なる出力モードで３秒から５秒間の初期期間の間ディスプレイ１０３の全てのセグメントを駆動させることができる。このモードで表示できる他の情報項目としては、例えば、最後のマイクロコントローラのリセット以来、何度蓄電池が全容量まで充電されたか、最後のマイクロコントローラのリセット以来、何度蓄電池が低充電点まで放電されたか、次の自動電池保守サイクルの前に、つまり次回に蓄電池が自動的に放電され、そして完全に充電されるまでに残されている、作動分数あるいは髭剃りできる回数、及び今までに自動電池保守サイクルを実施した回数等を含む。更に、セグメントの残留容量のパーセンテージ表示の間に、作動時間に関して、どの位個々のセグメントが駆動されたかを表示することもできる。
例えば、所定の時間間隔でかみそり１０１の本線接合部１０９に異なる本線電圧を印加することによって、異なる出力モードを活性化させることができる。この目的のために、例えば、所定のシーケンスで、上述の電圧値の一部を発生させるように設計された特殊な電源装置１１０を設けてもよい。２２０Ｖの本線交流電圧を、例えば５秒間の初期期間の間印加することができる。そして、１１０Ｖの本線交流電圧を更に５秒間印加することができる。その後、更に所定の期間の間、更に本線電圧を印加することができる。電源装置１１０によってかみそり１０１の本線接合部１０９に印加される本線電圧のシーケンス及び持続時間は、異なる出力モードが活性化されたことをマイクロコントローラ１０２に告げる所定のシーケンスに対応する。フライバックコンバータを使用して、業界で公知の方法で、様々な本線電圧をかみそり１０１において発生させることができる。
代替的、もしくは加えて、マイクロコントローラ１０２の特殊なＰＩＮ１１１に所定の電圧を印加することによって、異なる出力モードを活性化することができる。マイクロコントローラ１０２が特殊なＰＩＮ１１１に所定の電圧が存在することを検出した時、出力モードを同様に活性化することができる。
異なる出力モードを活性化する別の可能性は、かみそり１０１のオン／オフスイッチ１０７及び／もしくはかみそり１０１の長髪トリマのスイッチ１０８を所定の時間関連シーケンスで駆動することである。
ディスプレイのセグメント１０４の１つを動かすことによって、異なる出力モードが活性化されることをユーザに知らせることができる。かみそり１０１の通常の操作中に発生する駆動とは異なって、好都合に発生する駆動で、このセグメントを点滅するように、あるいは連続表示を示すように動かすことができる。
多数桁の数字を表示することが必要である場合、例えば、これはディスプレイ１０３のセグメント１０４の１つとの関連で問題の数字の一桁を表示することによって、ディスプレイ１０３のセグメント１０４と組み合わせた一桁表示の可能性で行うことができる。そして、ディスプレイ１０３の表示されたセグメント１０４が数字の表示されたディジットの対応する位置を表わす。
二桁の数字等の多数桁の数字は、所定の数秒間の期間、連続モードで表示される最初の桁を持つ一方、例えば、２番目のディジットが同じ期間の間点滅モードで続いて表示されることによって、表示され得る。
あるいは、コンピューター１１３をマイクロコントローラ１０２のＰＩＮ１１２に接続することによって、情報項目を表示することもでき、こうして、例えば、コンピューターに接続されるスクリーンまたはプリンタ上の次の出力のために、マイクロコントローラ１０２からコンピューター１１３へのデータラインを介して情報を読むことができるようにする。
パルス幅変調を使用して、視覚的あるいは聴覚的出力装置を動かすことによって情報を出力することもできる。この場合、既存の出力装置を使用することもできる。この目的のために、例えば、図１及び図２に示した発光ダイオード１０６が役に立つ。更に、信号コードでディスプレイを駆動することもできるが、発光ダイオードはその高速応答のためにこのような信号コード化された駆動に対して更に好ましい特徴を有することが理解されるであろう。
出力装置のこのようなコード化された駆動に対する好都合な態様が図２に示されている。図２の例では、発光ダイオード１０６がコード化駆動され、マイクロコントローラ１０２からの情報を出力する。発光ダイオード１０６の信号は、この実施形態では光学検出器１１４である装置によって捉えられ、検出器に接続されたコンピュータ１１３に中継される。必要であれば、情報を更にこのコンピューターで評価することができる。そしてこの情報がスクリーンまたはプリンタで出力される。検出器は、例えば、従来のＰＣの標準ポート（並列または直列ポート）に接続することができる。
設定モードで情報の表示できる項目のうちどの項目を出力すべきかを指定するために、例えば、特定の方法でスイッチ１０７または１０８の一方を動かすことができる。例えば、表示できる情報項目に数字を割り当てることができる。そして、どの情報項目が表示されるかは、例えば、長髪トリマ用のスイッチ１０８がどのように駆動されるかに依存する。このスイッチが一度作動されると、１という数字が割り当てられた情報項目が出力される。次の３秒以内にこのスイッチが再度作動されると、２という数字が割り当てられた情報項目が代わりに出力される。それに応じて、他の情報項目をスイッチの対応する更なる駆動によって出力することもできる。
【図１】
0004116078.tif 000002
【図２】
0004116078.tif 000003